(57)【要約】【課題】従来のメール端末であるＰＣは、変復調部によるメールの確達情報と変復調部の設定状態を確認できず、このＰＣから変復調部の設定状態を変更することはできなかった。【解決手段】本発明は、メールを送受信する際のメール端末であるＰＣ１０と、ＰＣ１０とＬＡＮ１２を介して接続しているサーバ１４と、メールの送受信を制御する例えばＰＣである操作制御部１６と、操作制御部１６と接続している変復調部１８と、変復調部１８と接続し送信先にメールを送受信する送受信部２０と具備し、ＰＣ１０からメールを送信先に送信できたか否かの確達情報と、変復調部１８の設定状態を確認でき、このＰＣ１０から変復調部１８の設定状態を変更を確認できるＳＭＴＰメールによる変復調部の制御を行うドライバ部を有する無線送信システムを提供する。【選択図】      図１
2008177854.tif 000002
【特許請求の範囲】
【請求項１】
端末で作成されたメールを変復調部を介して送信部から無線送信する無線送信システムであって、
前記端末にて作成された前記メールのＳｕｂｊｅｃｔを解析する解析部と、
前記メールが前記送信部から送信された際に、前記メールの送信結果を前記変復調部から取得する送信結果取得部と、
前記Ｓｕｂｊｅｃｔを解析した前記解析部の解析結果に応じて前記送信結果取得部から取得した前記送信結果を有する送信結果メールを作成するメール作成部と、
前記メール作成部によって作成された前記送信結果メールを前記端末に送信するメール送信部と、
を具備することを特徴とする無線送信システム。
【発明の詳細な説明】
【技術分野】
【０００１】
本発明は、移動体間通信においてメールを送信した際に、メールによって変復調部の送信結果を端末にて確認することができる無線送信システムに関する。
【背景技術】
【０００２】
一般的に、例えば船舶等の移動体間通信において例えばメールを送受信する際に、図１３に示すような従来の通信システムが用いられる。このシステムには、メールを送受信する際のメール端末であり、例えばメールの本文を表示する表示部１１０ａと本文を入力する入力部１１０ｂを有するＰＣ１１０と、ＰＣ１１０とＬＡＮ１１２を介して接続し、送受信するメールを一時記憶し、メールを送受信する際の記憶や管理を行うサーバ１１４と、サーバ１１４とＬＡＮ１１２を介して、またＰＣ１１０とＬＡＮ１１２を介して接続し、メールの送受信を制御する操作制御部１１６と、操作制御部１１６と接続し、無線信号を情報信号に、情報信号を無線信号に変換するモデムである変復調部１１８と、変復調部１１８と接続し、メールを送信先に送信し、メールを送信先から受信する送受信部１２０から構成されている。
【０００３】
操作制御部１１６には、ドライバ部１３０と、後述するメールの確達情報（送信結果）を表示する表示部１３２と、が設けられている。
【０００４】
送信者によってＰＣ１１０で作成されたメールは、複数のパケット（パケットデータ）に変換され、サーバ１１４に一時記憶される。次にパケットは、操作制御部１１６によって読み出され、変復調部１１８に送信される。変復調部１１８は、これらパケットをブロックごとに送受信部１２０を介して送信先に送信する。送信先に送信した際に、操作制御部１１６は、例えば送信先との回線の接続状況、送信先に送信できたかといったメールの確達情報を変復調部１１８から得ることができる。操作制御部１１６において、確達情報は、表示部１３２に表示される。
【０００５】
変復調部１１８は、設定されている設定状態（例えばメールを送信する際の通信速度）を定期的に操作制御部１１６に出力している。この変復調部１１８の設定状態は、操作制御部１１６によって記憶されている。また変復調部１１８の設定状態は、表示部１３２に表示され、確認することができる。
【０００６】
操作制御部１１６が変復調部１１８、送受信部１２０を介してパケットを送信先に送信する際に、操作者は、図示しない設定ボタンなどから変復調部１１８の設定状態（例えば通信速度の指定）を変更することができる。変更された設定状態は、ドライバ部１３０によってシリアル経由で変復調部１１８に出力される。これにより操作者が設定した設定状態によってパケットが変復調部１１８を介して送受信部１２０から送信先に送信される。このように操作制御部１１６において、変復調部１１８の設定状態が変更される。
【０００７】
このような通信システムが特許文献１に開示されている。
【特許文献１】特開２００５−３４８２３０号公報
【発明の開示】
【発明が解決しようとする課題】
【０００８】
しかしながら上述した図１３に示す通信システムにおいて、メールの確達情報は、表示部１３２のみに表示され、表示部１１０ａには表示されない。そのため送信者は、ＰＣ１１０から確達情報を確認することができない。よって送信者は、メールが送信先に送信されたか否かを確認することができない。
【０００９】
また同様に変復調部１１８の設定状態は、表示部１３２のみに表示され、表示部１１０ａには表示されない。そのため送信者は、ＰＣ１１０から変復調部１１８の設定状態を確認することができない。
【００１０】
また同様に変復調部１１８の設定状態は、操作制御部１１６において変更でき、ＰＣ１１０によって制御することはできない。そのため送信者は、ＰＣ１１０から変復調部１１８の設定状態を所望する設定状態に変更することができず、また変更した後の変復調部１１８の設定状態を確認することができない。
【課題を解決するための手段】
【００１１】
本発明は上記した課題を解決するために、端末で作成されたメールを変復調部を介して送信部から無線送信する無線送信システムであって、端末にて作成されたメールのＳｕｂｊｅｃｔを解析する解析部と、メールが送信部から送信された際に、メールの送信結果を変復調部から取得する送信結果取得部と、Ｓｕｂｊｅｃｔを解析した解析部の解析結果に応じて送信結果取得部から取得した送信結果を有する送信結果メールを作成するメール作成部と、メール作成部によって作成された送信結果メールを端末に送信するメール送信部と、を具備することを特徴とする無線送信システムを提供する。
【００１２】
また本発明は上記した課題を解決するために、端末で作成されたメールを変復調部を介して送信部から無線送信する無線送信システムであって、端末にて作成されたメールのＳｕｂｊｅｃｔを解析する解析部と、変復調部の設定状態を記憶する記憶部と、Ｓｕｂｊｅｃｔを解析した解析部の解析結果に応じて記憶部から取得した変復調部の設定状態を有する制御状態取得メールを作成するメール作成部と、メール作成部によって作成された制御状態取得メールを端末に送信するメール送信部と、を具備することを特徴とする無線送信システムを提供する。
【００１３】
また本発明は上記した課題を解決するために、端末で作成されたメールを変復調部を介して送信部から無線送信する無線送信システムであって、端末にて作成されたメールのＳｕｂｊｅｃｔを解析する解析部と、Ｓｕｂｊｅｃｔを解析した解析部の解析結果に応じて変復調部の設定状態を変更する際に、設定状態の変更指示を有する制御フォーマットを作成する制御フォーマット作成部と、制御フォーマット作成部によって作成された制御フォーマットを変復調部に送信し、設定状態が変更された変復調部から応答信号を受信する送受信部と、応答信号から設定状態が変更された変復調部の設定状態を有する応答メールを作成するメール作成部と、メール作成部によって作成された応答メールを端末に送信するメール送信部と、を具備することを特徴とする無線送信システムを提供する。
【発明の効果】
【００１４】
本発明によれば、上記事情を鑑みてメールの送受信を制御するとともに、変復調部から取得した確達情報を有する送信結果メールを操作制御部からＰＣへ送信することでＰＣにて確達情報を確認可能とし、変復調部の設定状態を操作制御部にて解析し、解析結果を有する制御状態取得メールをＰＣに送信することでＰＣにて変復調部の設定状態を確認可能とし、ＰＣが所望する変調部の設定状態を有する制御メールを操作制御部が解析し、解析結果を変復調部に出力することで変復調部の設定状態をＰＣが所望する変調部の設定状態に変更し、変更した後の変復調部の設定状態を確認できるように制御可能な無線送信システムを提供することができる。
【発明を実施するための最良の形態】
【００１５】
以下、図面を参照して本発明の実施形態について詳細に説明する。図１乃至図１２を参照して第１の実施形態について説明する。
【００１６】
図１は、本実施形態における無線送信システムの概略図である。図２は、操作制御部の概略構成図である。図３は、ＰＣが送信結果メールを受信することにより取得できる確達情報の表示例を示す図である。図４は、ＰＣが送信結果メールを受信する際の概略図である。図５は、制御状態取得メールを受信することにより取得できる情報と情報に対応する入力コマンドの表示例を示す図である。図６は、ＰＣが制御状態取得メールを受信することにより取得できる変復調部の制御状態の表示例を示す図である。図７は、ＰＣが制御状態取得メールを受信する際の概略図である。図８は、ＰＣが制御メールを送信する際の変復調部を制御状態の変更内容の表示例である。図９は、ＰＣが制御メールを送信する際の概略図である。図１０は、本実施形態におけるＰＣが送信結果メールを受信する際のフローである。図１１は、本実施形態におけるＰＣが制御状態取得メールを受信する際のフローである。図１２は、本実施形態におけるＰＣが制御メールを送信し、応答メールを受信する際のフローである。
【００１７】
なお本実施形態における内部（自）ネットワークとは無線送信システム１のＰＣ１０および操作制御部１６を含むネットワークを示す。また外部とは無線送信システム１と無線通信可能なシステム（ネットワーク）または装置を示す。
【００１８】
図１に示すように本実施形態における無線送信システム１には、メールを送受信する際のメール端末である複数台のＰＣ１０（図１には１台のみ示す）と、ＰＣ１０とＬＡＮ１２を介して接続し、送受信するメールを一時記憶し、メールを送受信する際の記憶や管理を行うサーバ１４と、サーバ１４とＬＡＮ１２を介して、またＰＣ１０とＬＡＮ１２を介して接続しており、例えばメールを送信する際にサーバ１４からメールを受信し、シリアルデータに変換し、また外部からシリアルデータを受信する際に、受信したシリアルデータを適宜な送信用プロトコル（本実施形態では例えばＳＭＴＰとする）を用いてメールとしてサーバ１４に送信するといった送受信を制御する制御端末である操作制御部１６（例えばＰＣ）と、操作制御部１６と接続し、シリアルデータ（無線信号）を情報信号に、情報信号を無線信号に変換するモデムである変復調部１８と、変復調部１８と接続し、情報信号（パケットをブロック毎に）を送信先に送受信する送受信部２０が設けられている。
【００１９】
尚、ＬＡＮ１２に接続されるＰＣ１０の数は、限定されず、１台であっても良い。
【００２０】
この無線送信システム１は、例えば船舶等の移動体に構築されたネットワーク同士でメール等を送受信する場合、送受信部２０によって外部にメールを送受信する。なお無線送信システム１は、ＰＣ１０から外部にメールを送信する場合、サーバ１４、操作制御部１６、変復調部１８を介して送信を行う。また同一ネットワーク（内部ネットワーク）においてＬＡＮ１２と接続しているＰＣ１０間にてメール等を送受信する場合、また例えば後述する送信結果メール、制御状態取得メール、制御メールを送受信する場合、無線送信システム１は、送受信部２０を介さず、ＰＣ１０、サーバ１４、操作制御部１６、変復調部１８にて内部処理を行う。
【００２１】
ＰＣ１０には、例えば外部に送信するメール、または外部から受信するメールや、後述する送信結果メール、制御状態取得メール、制御メールを表示する例えばディスプレイ等の表示部１０ａと、上述したメールを作成する際に、例えばメールの本文に情報を入力する例えばキーボード等の入力部１０ｂが設けられている。
【００２２】
操作制御部１６には、ドライバ部３０と、メールや後述する送信結果メール、制御状態取得メール、制御メールを表示する例えばディスプレイ等の表示部３２と、上述したメールを作成する際に、例えばメールの本文に情報を入力する例えばキーボード等の入力部３４と、変復調部１８による確達情報（送信結果）や変復調部１８の設定状態等を記憶する記憶部である共有メモリ３６と、が設けられている。
【００２３】
変復調部１８による確達情報とは、変復調部１８が送受信部２０を介して外部にメールを送信できたか否かを示している。この確達情報は、送信結果メールによって確認できる。また変復調部１８の設定状態とは、変復調部１８がどのような制御状態か（例えばどのような通信速度にて送受信部２０を介してメールを外部と送受信しているか）を示している。設定状態は、制御状態取得メールによって変復調部１８の制御状態を確認でき、また制御メールによって変復調部１８の制御状態を変更できる（詳細については後述する）。
【００２４】
変復調部１８は、設定状態を定期的に操作制御部１６に出力している。出力された操作制御部１６は、上述したように共有メモリ３６にて常に最新の設定状態を記憶している。
【００２５】
次に図２を参照して操作制御部１６について詳細に説明する。  
操作制御部１６は、上述したようにドライバ部３０と、表示部３２と、入力部３４と、共有メモリ３６と、を有している。ドライバ部３０には、サーバ１４に対してメールを送受信するＳＭＴＰメール送受信部４０と、例えばメールの送信先が外部宛か内部ネットワークのＰＣ宛かをメールのアドレスから解析し、例えばＰＣ１０にて作成されたメールのＳｕｂｊｅｃｔを解析するメール解析部４２と、ＳＭＴＰメールを作成するＳＭＴＰメール作成部４４と、メールからシリアルデータを作成するシリアルデータ作成部４６と、シリアルデータ作成部４６によって作成されたシリアルデータを変復調部１８に送信し、また変復調部１８からシリアルデータを受信するシリアルデータ送受信部４８と、が設けられている。
【００２６】
サーバ１４からメールを受信したＳＭＴＰメール送受信部４０は、共有メモリ３６内にＳＭＴＰメール受信フラグを立てる。
【００２７】
メール解析部４２は、ＳＭＴＰメール受信フラグが共有メモリ３６内に立てられているか否かを確認する。ＳＭＴＰメール受信フラグが立てられていることを確認したメール解析部４２は、ＳＭＴＰメール送受信部４０からメールを読み込み、メールのアドレス等を解析する。アドレス等を解析したメール解析部４２は、このメールのアドレスが外部宛か内部ネットワークのアドレスかを判別する。メール解析部４２は、メールのアドレスが外部宛であれば、共有メモリ３６内にメールアドレス外部フラグを立て、メールのアドレスが内部ネットワーク宛であれば、共有メモリ３６内にメールアドレス内部フラグを立て、ＳＭＴＰメール受信フラグをクリアーする。
【００２８】
シリアルデータ作成部４６は、メールアドレス外部フラグが共有メモリ３６内に立てられているか否かを確認する。メールアドレス外部フラグが立てられていることを確認したシリアルデータ作成部４６は、メール解析部４２からメールを読み込み、シリアルデータを作成する。またシリアルデータ作成部４６は、共有メモリ３６内にシリアルデータ作成フラグを立てる。またシリアルデータ作成部４６は、メールアドレス外部フラグをクリアーする。
【００２９】
シリアルデータ送受信部４８は、シリアルデータ作成フラグが共有メモリ３６内に立てられているか否かを確認する。シリアルデータ作成フラグが立てられていることを確認したシリアルデータ送受信部４８は、シリアルデータ作成部４６からシリアルデータを読み込み、変復調部１８に送信する。またシリアルデータ送受信部４８は、シリアルデータ作成フラグをクリアーする。変復調部１８は、受信したシリアルデータを送受信部２０を介して外部に送信する。
【００３０】
また外部から送受信部２０、変復調部１８を介してシリアルデータを受信したシリアルデータ送受信部４８は、共有メモリ３６内にシリアルデータ受信フラグを立てる。
【００３１】
ＳＭＴＰメール作成部４４は、シリアルデータ受信フラグが共有メモリ３６内に立てられているか否かを確認する。シリアルデータ受信フラグが立てられていることを確認したＳＭＴＰメール作成部４４は、シリアルデータ送受信部４８からシリアルデータを読み込み、メールを作成する。メールを作成したＳＭＴＰメール作成部４４は、共有メモリ３６内にメール作成フラグを立て、シリアルデータ受信フラグをクリアーする。
【００３２】
上述したＳＭＴＰメール送受信部４０は、メール作成フラグが共有メモリ３６内に立てられているか否かを確認する。メール作成フラグが立てられていることを確認したＳＭＴＰメール送受信部４０は、ＳＭＴＰメール作成部４４からメールを読み込み、サーバ１４に送信する。またＳＭＴＰメール送受信部４０は、メール作成フラグをクリアーする。ＰＣ１０は、例えばＰＯＰなどの適宜受信用プロトコルを使用して、サーバ１４に蓄積されたメールを受信する。
【００３３】
また上述したＳＭＴＰメール送受信部４０は、メールアドレス内部フラグが共有メモリ３６内に立てられているか否かを確認する。メールアドレス内部フラグが立てられていることを確認したＳＭＴＰメール送受信部４０は、サーバ１４から受信したメールをサーバ１４に送信する。またＳＭＴＰメール送受信部４０は、メールアドレス内部フラグをクリアーする。ＰＣ１０は、例えばＰＯＰなどの適宜受信用プロトコルを使用して、サーバ１４に蓄積されたメールを受信する。
【００３４】
次に図２、図３、図４を参照して確達情報及び送信結果メールについて説明する。  
変復調部１８が送受信部２０を介して例えばＰＣ１０によって作成されたメールを外部に送信した後に、変復調部１８は、確達情報（シリアルデータ）をシリアルデータ送受信部４８を介して共有メモリ３６に送信する。共有メモリ３６には、メールが外部に送信に送信される度に、確達情報が記憶される。このように共有メモリ３６、シリアルデータ送受信部４８は、メールの確達情報を変復調部１８から取得する送信結果取得部である。確達情報を受信したシリアルデータ送受信部４８は、共有メモリ３６内に送信結果取得フラグを立てる。
【００３５】
操作者がＰＣ１０で変復調部１８の確達情報を確認する場合、ＰＣ１０からサーバ１４を介して操作制御部１６に送信結果取得メールを送信する。この送信結果取得メールは、Ｓｕｂｊｅｃｔ（件名）に「ｔｒａｎｓｍｉｓｓｉｏｎ  ｒｅｓｕｌｔ  ａｃｑｕｉｓｉｔｉｏｎ」と入力されることによって定義される。
【００３６】
送信結果取得メールを受信したＳＭＴＰメール送受信部４０は、共有メモリ３６内にＳＭＴＰメール受信フラグを立てる。次にメール解析部４２は、ＰＣ１０にて作成されたメールの記載内容を解析する。詳細にはメール解析部４２は、ＳＭＴＰメール受信フラグが共有メモリ３６内に立てられているか否かを確認する。ＳＭＴＰメール受信フラグが立てられていることを確認したメール解析部４２は、ＳＭＴＰメール送受信部４０からメールを読み込み、送信結果取得メールのＳｕｂｊｅｃｔを解析する。Ｓｕｂｊｅｃｔを解析したメール解析部４２は、この送信結果取得メールのＳｕｂｊｅｃｔが上述した「ｔｒａｎｓｍｉｓｓｉｏｎ  ｒｅｓｕｌｔ  ａｃｑｕｉｓｉｔｉｏｎ」であるかを判別する。メール解析部４２は、送信結果取得メールのＳｕｂｊｅｃｔが「ｔｒａｎｓｍｉｓｓｉｏｎ  ｒｅｓｕｌｔ  ａｃｑｕｉｓｉｔｉｏｎ」であることを確認すると共有メモリ３６内に送信結果取得メール取得フラグを立て、ＳＭＴＰメール受信フラグをクリアーする。これにより操作制御部１６は、ＰＣ１０が変復調部１８の確達情報を確認しようとしていることを確認することができる。
【００３７】
ＳＭＴＰメール作成部４４は、共有メモリ３６に定期的にアクセスし、送信結果取得フラグと送信結果メール取得フラグが共有メモリ３６内に立てられているか否かを確認する。これら２つのフラグが立てられていることを確認したＳＭＴＰメール作成部４４は、共有メモリ３６から確達情報を読み込み（取り出し）、確達情報が記載される送信結果メールを作成する。送信結果メールのＳｕｂｊｅｃｔには、例えば「Ｒｅ：ｔｒａｎｓｍｉｓｓｉｏｎ  ｒｅｓｕｌｔ  ａｃｑｕｉｓｉｔｉｏｎ」が入力される。このようにＳＭＴＰメール作成部４４は、メール解析部４２によって解析された解析結果に応じて送信結果取得部から取得した確達情報を有する送信結果メールを作成するメール作成部である。この確達情報には、図３に示すように例えば、送信した際の日付情報（例えば２００６／１２／３）、時刻情報（例えば１２：３４：５６）、送信先毎の送信状態（送信できたか否か、Ｙｅｓ  ｏｒ  Ｎｏ）が含まれる。送信結果メールを作成したＳＭＴＰメール作成部４４は、共有メモリ３６内に送信要求フラグを立て、送信結果取得フラグと送信結果メール取得フラグをクリアーする。ＳＭＴＰメール送受信部４０は、送信要求フラグが共有メモリ３６内に立てられているか否かを確認する。送信要求フラグが立てられていることを確認したＳＭＴＰメール送受信部４０は、ＳＭＴＰメール作成部４４から送信結果メールを読み込み、サーバ１４に送信する。このようにＳＭＴＰメール送受信部４０は、ＳＭＴＰメール作成部４４によって作成された送信結果メールをＰＣ１０に送信するメール送信部である。またＳＭＴＰメール送受信部４０は、送信要求フラグをクリアーする。
【００３８】
これにより送信結果メールは、図４に示すように操作制御部１６からサーバ１４に送信される。送信結果メールは、図４に示すようにＳｕｂｊｅｃｔには、例えば「Ｒｅ：ｔｒａｎｓｍｉｓｓｉｏｎ  ｒｅｓｕｌｔ  ａｃｑｕｉｓｉｔｉｏｎ」が入力される。また上述したように確達情報が入力される。ＰＣ１０は、例えばＰＯＰなどの適宜受信用プロトコルを使用して、サーバ１４に蓄積された送信結果メールを受信する。
【００３９】
なお図３では送信先の数が１６だがこの数は特に限定する必要はない。なお送信先には、自ネットワークに接続している図示していないＰＣを含んでもよい。
【００４０】
次に図２、図５乃至図７を参照して制御状態取得メールについて説明する。  
操作者がＰＣ１０で変復調部１８の制御状態を確認する場合、ＰＣ１０からサーバ１４を介して操作制御部１６にメールを送信する。このメールは、Ｓｕｂｊｅｃｔ（件名）に「Ｃｏｎｔｒｏｌ  ｓｔａｔｅ  ａｃｑｕｉｓｉｔｉｏｎ」と入力されることによって定義される。またメールの本文には、取得したい変復調部１８の制御状態の情報（項目）に対応するコマンドが入力部１０ｂによって入力される。この情報には、例えば通信モード、再送、ＡＬＥ、自動回線検査、通信速度、折返し、送信接、受信接、送信系が含まれる。例えば、全ての情報が必要である場合、本文には、コマンド「ＡＬＬ」が入力される。また例えば、通信速度のみを確認する必要がある場合、本文には、コマンド「ＳＰＥＥＤ」が入力される。
【００４１】
このような情報と、情報に対応するコマンドを図５に示す。通信モードとは、送受信の際に例えばＨＦ帯、ＵＨＦ帯、または有線（Ｎａｒｒｏｗ  Ｂａｎｄ（以下、ＮＢ）、またはＷｉｄｅ  Ｂａｎｄ（以下、ＷＢ））のいずれの回線を選択して使用しているかを確認するものであり、確認する際に本文にコマンド「ＣＯＭＭＵＮＩＣＡＴＩＯＮ」が入力される。再送とは、送信するメールを送信先が受信するまで送信しつづけ（再送し）、確達情報を取得するか否かを示すものであり、確認する際に本文にコマンド「ＡＲＱ」が入力される。ＡＬＥとは、送信先に確実に送信するために最適な通信速度を決定するものであり、確認する際に本文にコマンド「ＡＬＥ」が入力される。自動回線検査とは、送信する前に送信先との回線が接続しているか検査するか否かを示すものであり、確認する際に本文にコマンド「ＡＵＴＯＩＮＳ」が入力される。なお送信先から応答がない場合、その送信先は、上述したＡＲＱの対象から外される。通信速度とは、送信先とのメールを送受信する際の回線の速度（例えば１２００ｂｐｓ、２４００ｂｐｓ、４８００ｂｐｓ、９６００ｂｐｓのいずれか）を選択し、上述したようにコマンド「ＳＰＥＥＤ」が入力される。折返しとは、送信する前に自ネットワーク内のＰＣ１０からＰＣ１０にメールを送信させ、操作制御部１６と変復調部１８が正常に動作しているか否かを検査するために折り返しテストを実施するものであり、確認する際に本文にコマンド「ＲＥＴＵＲＮ」が入力される。送信接とは、メールを送信する際の状態を確かめるものでありメールを送信する際にＯＮになり、確認する際に本文にコマンド「ＳＥＮＤ」が入力される。送信接がＯＮの場合、メールを送信でき、送信接がＯＦＦの場合、メールの送信を停止することができる。受信接とは、メールを受信する際の状態を確かめるものでありメールを受信する際にＯＮになり、確認する際に本文にコマンド「ＲＥＣ」が入力される。受信接がＯＮの場合、メールを受信でき、受信接がＯＦＦの場合、メールの受信を停止することができる。送信系とは、送信する際の系統を１系か２系のいずれかを使用するか選択するものであり、確認する際に本文にコマンド「ＬＩＮＥ」が入力される。
【００４２】
上述したようにメールを受信したＳＭＴＰメール送受信部４０は、共有メモリ３６内にＳＭＴＰメール受信フラグを立てる。次にメール解析部４２は、ＰＣ１０にて作成されたメールの記載内容を解析する。詳細にはメール解析部４２は、ＳＭＴＰメール受信フラグが共有メモリ３６内に立てられているか否かを確認する。ＳＭＴＰメール受信フラグが立てられていることを確認したメール解析部４２は、ＳＭＴＰメール送受信部４０からメールを読み込み、メールのＳｕｂｊｅｃｔを解析する。Ｓｕｂｊｅｃｔを解析したメール解析部４２は、このメールのＳｕｂｊｅｃｔが上述した「Ｃｏｎｔｒｏｌ  ｓｔａｔｅ  ａｃｑｕｉｓｉｔｉｏｎ」であるかを判別する。メール解析部４２は、メールのＳｕｂｊｅｃｔが「Ｃｏｎｔｒｏｌ  ｓｔａｔｅ  ａｃｑｕｉｓｉｔｉｏｎ」であることを確認すると共有メモリ３６内に設定状態メール取得フラグを立て、ＳＭＴＰメール受信フラグをクリアーする。またメール解析部４２は、このメールの本文に入力されている図５に示すコマンドを解析し、この解析結果を一時的に記憶する。これにより操作制御部１６は、ＰＣ１０が確認しようとしている変復調部１８の設定状態を確認することができる。
【００４３】
ＳＭＴＰメール作成部４４は、共有メモリ３６に定期的にアクセスし、設定状態メール取得フラグが共有メモリ３６内に立てられているか否かを確認する。設定状態メール取得フラグが立てられていることを確認したＳＭＴＰメール作成部４４は、メール解析部４２によって解析された解析結果を基に共有メモリ３６にアクセスする。共有メモリ３６には、上述したように変復調部１８の最新の設定状態が記憶されている。ＳＭＴＰメール作成部４４は、この共有メモリ３６からＰＣ１０が確認しようとしている変復調部１８の情報を取得し、制御状態取得メールを作成する。このようにＳＭＴＰメール作成部４４は、メール解析部４２によって解析された解析結果に応じて共有メモリ３６から取得した変復調部１８の設定状態を有する制御状態取得メールを作成するメール作成部である。
【００４４】
制御状態取得メールのＳｕｂｊｅｃｔには、図６に示すように「Ｒｅ：Ｃｏｎｔｒｏｌ  ｓｔａｔｅ  ａｃｑｕｉｓｉｔｉｏｎ」が入力される。またＰＣ１０からサーバ１４を介して操作制御部１６に送信されたメールの本文にコマンド「ＡＬＬ」が入力されていた場合、図６に示すように制御状態取得メールの本文には、日付情報（例えば２００６／１２／３）、時刻情報（例えば１２：３４：５６）と共に通信モード：ＮＢ、再送：ＯＮ、ＡＬＥ：ＯＦＦ、自動回線検査：ＯＦＦ、通信速度：９６００、折返し：ＯＦＦ、送信接：ＯＦＦ、受信接：ＯＦＦ、送信系：１が入力される。
【００４５】
制御状態取得メールを作成したＳＭＴＰメール作成部４４は、設定状態メール取得フラグをクリアーし、共有メモリ３６内に送信要求フラグを立てる。
【００４６】
上述したＳＭＴＰメール送受信部４０は、送信要求フラグが共有メモリ３６内に立てられているか否かを確認する。送信要求フラグが立てられていることを確認したＳＭＴＰメール送受信部４０は、ＳＭＴＰメール作成部４４から制御状態取得メールを読み込み、サーバ１４に送信する。またＳＭＴＰメール送受信部４０は、送信要求フラグをクリアーする。このようにＳＭＴＰメール送受信部４０は、ＳＭＴＰメール作成部４４によって作成された制御状態取得メールをＰＣ１０に送信する送信部である。
【００４７】
ＰＣ１０は、例えばＰＯＰなどの適宜受信用プロトコルを使用して、サーバ１４に蓄積された制御状態取得メールを受信する。このような制御状態取得メールは、表示部１０ａに表示され、変復調部１８の制御状態がＰＣ１０にて確認される。
【００４８】
また例えば図７に示すように、ＰＣ１０において、入力部１０ｂによってＳｕｂｊｅｃｔに「Ｃｏｎｔｒｏｌ  ｓｔａｔｅ  ａｃｑｕｉｓｉｔｉｏｎ」、本文にコマンド「ＡＬＥ」、コマンド「ＳＰＥＥＤ」が入力されたメールが、ＬＡＮ１２、サーバ１４を介して操作制御部１６に送信される。上述したようにメール解析部４２は、このメールを解析し、この解析結果を基にＳＭＴＰメール作成部４４は、制御状態取得メールを作成する。この制御状態取得メールのＳｕｂｊｅｃｔには、「Ｒｅ：Ｃｏｎｔｒｏｌ  ｓｔａｔｅ  ａｃｑｕｉｓｉｔｉｏｎ」が入力される。また制御状態取得メールの本文には、日付情報（例えば２００６／１２／３）、時刻情報（例えば１２：３４：５６）とＡＬＥ：ＯＮ、通信速度：９６００が入力される。この制御状態取得メールは、上述したように表示部１０ａに表示され、変復調部１８のＡＬＥの状態と通信速度がＰＣ１０にて確認される。
【００４９】
次に図２、図８乃至図９を参照して制御メールについて説明する。  
操作者がＰＣ１０で変復調部１８の制御状態を変更する場合、ＰＣ１０からサーバ１４を介して操作制御部１６に制御メールを送信する。この制御メールは、Ｓｕｂｊｅｃｔ（件名）に、「Ｃｏｎｔｒｏｌ」と入力されることによって定義される。また制御メールの本文には、変更したい変復調部１８の制御状態の情報（項目）と、この情報に対応するＯＮ、ＯＦＦ、又は数値（キー値）が入力部１０ｂによって入力される。変更したい変復調部１８の制御状態の情報は、前述した図５と同様である。制御メールの一例を図８に示す。図８に示すようにＳｕｂｊｅｃｔには、「Ｃｏｎｔｒｏｌ」が入力される。また本文には、ＣＯＭＭＵＮＩＣＡＴＩＯＮ：ＮＢ、ＡＲＱ：ＯＮ、ＡＬＥ：ＯＦＦ、ＡＵＴＯＩＮＳ：ＯＦＦ、ＳＰＥＥＤ：９６００、ＲＥＴＵＲＮ：ＯＦＦ、ＳＥＮＤ：ＯＦＦ、ＲＥＣ：ＯＦＦ、ＬＩＮＥ：１、として入力される。なお制御メールは、表示部１０ａに表示される。
【００５０】
この制御メールは、図９に示すようにＰＣ１０からサーバ１４を介して操作制御部１６に送信される。操作制御部１６において、制御メールを受信したＳＭＴＰメール送受信部４０は、共有メモリ３６内にＳＭＴＰメール受信フラグを立てる。次にメール解析部４２は、ＰＣ１０にて作成されたメールの記載内容を解析する。詳細にはメール解析部４２は、ＳＭＴＰメール受信フラグが共有メモリ３６内に立てられているか否かを確認する。ＳＭＴＰメール受信フラグが立てられていることを確認したメール解析部４２は、ＳＭＴＰメール送受信部４０からメールを読み込み、制御メールのＳｕｂｊｅｃｔを解析する。Ｓｕｂｊｅｃｔを解析したメール解析部４２は、制御メールのＳｕｂｊｅｃｔが上述した「Ｃｏｎｔｒｏｌ」であるかを判別する。メール解析部４２は、制御メールのＳｕｂｊｅｃｔが「Ｃｏｎｔｒｏｌ」であることを確認すると共有メモリ３６内に制御メール取得フラグを立て、ＳＭＴＰメール受信フラグをクリアーする。またメール解析部４２は、この制御メールの本文に入力されているコマンドを解析し、この解析結果を一時的に記憶する。これにより操作制御部１６は、ＰＣ１０が変更しようとする変復調部１８の情報を確認することができる。
【００５１】
シリアルデータ作成部４６は、共有メモリ３６に定期的にアクセスし、制御メール取得フラグが共有メモリ３６内に立てられているか否かを確認する。制御メール取得フラグが立てられていることを確認したシリアルデータ作成部４６は、メール解析部４２によって解析された解析結果に応じて制御フォーマット（シリアルデータ）を作成する。この制御フォーマットは、変復調部１８の設定状態を変更する際に、設定状態の変更指示を有している。またシリアルデータ作成部４６は、制御メール取得フラグをクリアーし、共有メモリ３６内に変調部送信要求フラグを立てる。このようにシリアルデータ作成部４６は、メール解析部４２によって解析された解析結果に応じて制御フォーマットを作成する制御フォーマット作成部である。
【００５２】
シリアルデータ送受信部４８は、変調部送信要求フラグが共有メモリ３６内に立てられているか否かを確認する。変調部送信要求フラグが立てられていることを確認したシリアルデータ送受信部４８は、シリアルデータ作成部４６から制御フォーマットを読み込み、変復調部１８に送信する。またシリアルデータ送受信部４８は、変調部送信要求フラグをクリアーする。このようにシリアルデータ送受信部４８は、シリアルデータ作成部４６によって作成された制御フォーマットを変復調部１８に送信する送信部である。
【００５３】
変復調部１８は、受信した制御フォーマットを基に操作者が所望する設定状態に変更する。
【００５４】
設定状態を変更した変復調部１８は、シリアルデータ送受信部４８に応答信号を送信する（シリアルデータ送受信部４８は、設定状態が変更された変復調部１８から応答信号を受信する）。応答信号を受信したシリアルデータ送受信部４８は、共有メモリ３６内に応答完了フラグを立てる。
【００５５】
ＳＭＴＰメール作成部４４は、共有メモリ３６に定期的にアクセスし、応答完了フラグが共有メモリ３６内に立てられているか否かを確認する。応答完了フラグが立てられていることを確認したＳＭＴＰメール作成部４４は、応答メールを作成する。この応答メールには、変復調部１８の状態がＰＣ１０によって指示された設定状態に変更された旨のメッセージが記載されている。ＳＭＴＰメール作成部４４は、応答完了フラグをクリアーし、共有メモリ３６内に応答送信要求フラグを立てる。
【００５６】
ＳＭＴＰメール送受信部４０は、応答送信要求フラグが共有メモリ３６内に立てられているか否かを確認する。応答送信要求フラグが立てられていることを確認したＳＭＴＰメール送受信部４０は、応答送信要求フラグをクリアーし、ＳＭＴＰメール作成部４４から応答メールを読み込み、サーバ１４に送信する。
【００５７】
このような応答メールは、表示部１０ａに表示される。これにより変復調部１８の状態が、ＰＣ１０によって指示された制御状態に変更される。またＰＣ１０において、変復調部１８の制御状態が変更されたことが確認される。
【００５８】
なお図２乃至図４において、確達情報は、表示部１０ａに表示されたが、表示部３２に直接表示させることも可能である。
【００５９】
また図２、図５乃至図７において制御状態取得メールのＳｕｂｊｅｃｔに入力された「Ｃｏｎｔｒｏｌ  ｓｔａｔｅ  ａｃｑｕｉｓｉｔｉｏｎ」、本文に入力されたコマンドは、ＰＣ１０の入力部１０ｂによって入力されている。しかしこの形態に限定する必要は無く、例えば、入力部３４から直接上記内容を入力してもよい。この場合、操作制御部１６において、メール解析部４２は、入力部３４によって直接入力された入力内容を解析する。ＳＭＴＰメール作成部４４は、この解析結果に応じて上述したように制御状態取得メールを作成する。なお制御状態取得メールは、表示部３２に直接表示させても良い。
【００６０】
また図２、図８乃至図９において制御メールのＳｕｂｊｅｃｔに入力された「Ｃｏｎｔｒｏｌ」、本文に入力されたコマンドは、ＰＣ１０の入力部１０ｂによって入力されている。しかしこの形態に限定する必要は無く、上述したように例えば、入力部３４から上記内容を直接入力してもよい。この場合、操作制御部１６において、メール解析部４２は、入力部３４によって直接入力された入力内容を解析する。シリアルデータ作成部４６は、この解析結果に応じて上述したように制御フォーマットを作成する。これにより上述したように変復調部１８の設定状態を変更可能である。また応答メールも表示部３２に直接表示させても良い。
【００６１】
次に図１０を参照してＰＣが送信結果メールを受信する際の無線送信システムの動作の流れについて説明する。  
上述したように変復調部１８が送受信部２０を介して例えばＰＣ１０によって作成されたメールを外部に送信した後に、変復調部１８は、確達情報（シリアルデータ）をシリアルデータ送受信部４８を介して共有メモリ３６に送信する。確達情報を受信したシリアルデータ送受信部４８は、共有メモリ３６内に送信結果取得フラグを立てる。この送信結果取得フラグは、メールの送信先の数だけ立てられる。つまり例えばメールが送信先１に届いた場合、送信先１における送信結果取得フラグが立てられ、メールが送信先１６に届けられなかった場合、送信先１６における送信結果取得フラグは立てられない。
【００６２】
また上述したようにＰＣ１０が変復調部１８の確達情報を確認する際に、ＰＣ１０は、サーバ１４を介して操作制御部１６に送信結果取得メールを送信する。これにより共有メモリ３６内に送信結果取得メール取得フラグが立てられる。
【００６３】
ＳＭＴＰメール作成部４４は、共有メモリ３６に定期的にアクセスし、送信結果取得フラグと送信結果取得メール取得フラグが共有メモリ３６内に立てられているか否かを確認する（Ｓｔｅｐ１）。送信結果取得フラグと送信結果取得メール取得フラグが立てられていることを確認した場合（Ｓｔｅｐ１：Ｙｅｓ）、ＳＭＴＰメール作成部４４は、送信した全ての送信先からの結果を取得する（全ての送信先における送信結果取得フラグが立てられるまで）まで、または所定時間（タイムアップするまで）の間共有メモリ３６にアクセスする。ＳＭＴＰメール作成部４４は、送信結果取得フラグが立てられているか否かを判別することで、送信先毎の送信状態（送信できたか否か、Ｙｅｓ  ｏｒ  Ｎｏ）を取得する（Ｓｔｅｐ２）。ＳＭＴＰメール作成部４４は、取得した送信先毎の送信状態を基にして前述した図３に示す確達情報が記載されている送信結果メールを作成する（Ｓｔｅｐ３）。送信結果メールを作成したＳＭＴＰメール作成部４４は、上述したように共有メモリ３６内に送信要求フラグを立て、送信結果取得フラグと送信結果取得メール取得フラグをクリアーする。ＳＭＴＰメール送受信部４０は、共有メモリ３６に定期的にアクセスし、送信要求フラグが共有メモリ３６内に立てられているか否かを確認する（Ｓｔｅｐ４）。送信要求フラグが立てられていることを確認した場合（Ｓｔｅｐ４：Ｙｅｓ）、ＳＭＴＰメール送受信部４０は、ＳＭＴＰメール作成部４４から送信結果メールを読み込み、サーバ１４に送信し、送信要求フラグをクリアーする（Ｓｔｅｐ５）。
【００６４】
送信結果メールは、図４に示すように操作制御部１６からサーバ１４に送信される。ＰＣ１０は、例えばＰＯＰなどの適宜受信用プロトコルを使用して、サーバ１４に蓄積された送信結果メールを受信する。ＰＣ１０は、この送信結果メールを表示部１０ａに表示させる。これにより図３に示すような変復調部１８の確達情報がＰＣ１０にて確認される。
【００６５】
次に図１１を参照してＰＣが制御状態取得メールを受信する際の無線送信システムの動作の流れについて説明する。  
ＳＭＴＰメール作成部４４は、共有メモリ３６に定期的にアクセスし、設定状態メール取得フラグが共有メモリ３６内に立てられているか否かを確認する（Ｓｔｅｐ１１）。設定状態メール取得フラグが立てられていることを確認した場合（Ｓｔｅｐ１１：Ｙｅｓ）、ＳＭＴＰメール作成部４４は、メール解析部４２によって解析された解析結果からＰＣ１０が確認しようとしている変復調部１８の情報を取得するために共有メモリ３６にアクセスする（Ｓｔｅｐ１２）。共有メモリ３６には、上述したように変復調部１８の最新の設定状態が記憶されている。ＳＭＴＰメール作成部４４は、この共有メモリ３６からＰＣ１０が確認しようとしている変復調部１８の最新の情報を取得し、図６に示すような制御状態取得メールを作成する（Ｓｔｅｐ１３）。
【００６６】
制御状態取得メールについては上述したためここでの説明は省略する。制御状態取得メールを作成したＳＭＴＰメール作成部４４は、設定状態メール取得フラグをクリアーし、共有メモリ３６内に送信要求フラグを立てる。
【００６７】
上述したＳＭＴＰメール送受信部４０は、送信要求フラグが共有メモリ３６内に立てられているか否かを確認する（Ｓｔｅｐ１４）。送信要求フラグが立てられていることを確認した場合（Ｓｔｅｐ１４：Ｙｅｓ）、ＳＭＴＰメール送受信部４０は、ＳＭＴＰメール作成部４４から制御状態取得メールを読み込み、サーバ１４に送信する（Ｓｔｅｐ１５）。またＳＭＴＰメール送受信部４０は、送信要求フラグをクリアーする。ＰＣ１０は、例えばＰＯＰなどの適宜受信用プロトコルを使用して、サーバ１４に蓄積された制御状態取得メールを受信する。
【００６８】
このような制御状態取得メールは、上述したように表示部１０ａに表示され、変復調部１８の制御状態がＰＣ１０にて確認される。
【００６９】
次に図１２を参照してＰＣが制御メール送信し、応答メール受信する際の無線送信システムの動作の流れについて説明する。  
シリアルデータ作成部４６は、上述したように共有メモリ３６に定期的にアクセスし、制御メール取得フラグが共有メモリ３６内に立てられているか否かを確認する（Ｓｔｅｐ２１）。制御メール取得フラグが立てられていることを確認した場合（Ｓｔｅｐ２１：Ｙｅｓ）、シリアルデータ作成部４６は、メール解析部４２によって解析された解析結果を基に制御フォーマット（シリアルデータ）を作成する（Ｓｔｅｐ２２）。またシリアルデータ作成部４６は、制御メール取得フラグをクリアーし、共有メモリ３６内に変調部送信要求フラグを立てる。
【００７０】
シリアルデータ送受信部４８は、変調部送信要求フラグが共有メモリ３６内に立てられているか否かを確認する（Ｓｔｅｐ２３）。変調部送信要求フラグが立てられていることを確認した場合（Ｓｔｅｐ２３：Ｙｅｓ）、シリアルデータ送受信部４８は、シリアルデータ作成部４６から制御フォーマットを読み込み、変復調部１８に送信する（Ｓｔｅｐ２４）。またシリアルデータ送受信部４８は、変調部送信要求フラグをクリアーする。変復調部１８は、受信した制御フォーマットを基に操作者が所望する設定状態に変更する。
【００７１】
設定状態を変更した変復調部１８は、シリアルデータ送受信部４８に応答信号を送信する。操作者が変更したい変復調部１８の制御状態の情報に対応する全ての応答信号を変復調部１８から受信（取得）したシリアルデータ送受信部４８は、共有メモリ３６内に応答完了フラグを立てる。または、所定時間（タイムアップするまで）の間に操作者が変更したい変復調部１８の制御状態の情報に対応する一部の応答信号を変復調部１８受信（取得）したシリアルデータ送受信部４８は、共有メモリ３６内に応答完了フラグを立てる。
【００７２】
ＳＭＴＰメール作成部４４は、共有メモリ３６に定期的にアクセスし、応答完了フラグが共有メモリ３６内に立てられているか否かを確認する（Ｓｔｅｐ２５）。応答完了フラグが立てられていることを確認した場合（Ｓｔｅｐ２５：Ｙｅｓ）、ＳＭＴＰメール作成部４４は、応答メールを作成する（Ｓｔｅｐ２６）。またＳＭＴＰメール作成部４４は、応答完了フラグをクリアーし、共有メモリ３６内に応答送信要求フラグを立てる。
【００７３】
ＳＭＴＰメール送受信部４０は、応答送信要求フラグが共有メモリ３６内に立てられているか否かを確認する（Ｓｔｅｐ２７）。応答送信要求フラグが立てられていることを確認した場合（Ｓｔｅｐ２７：Ｙｅｓ）、ＳＭＴＰメール送受信部４０は、応答送信要求フラグをクリアーし、ＳＭＴＰメール作成部４４から応答メールを読み込み、サーバ１４に送信する（Ｓｔｅｐ２８）。ＰＣ１０は、例えばＰＯＰなどの適宜受信用プロトコルを使用して、サーバ１４に蓄積された応答メールを受信する。
【００７４】
このような応答メールは、表示部１０ａに表示される。これにより変復調部１８の状態が、操作者によって指示された制御状態に変更される。また操作者は、ＰＣ１０の表示部１０ａを通じて、変復調部１８の制御状態が変更されたことを確認する。
【００７５】
このように本実施形態において、ＰＣ１０から外部宛にメールを送信した際に、Ｓｕｂｊｅｃｔに、「ｔｒａｎｓｍｉｓｓｉｏｎ  ｒｅｓｕｌｔ  ａｃｑｕｉｓｉｔｉｏｎ」と記入した新たなメール（送信結果取得メール）を操作制御部１６に送信すると、操作制御部１６は、このメールを受信した後、共有メモリ３６から確達情報を読み込み送信結果メールを作成しＰＣ１０に送信する。これにより本実施形態は、操作制御部１６からＰＣ１０に送信結果メールが送信されるために、ＰＣ１０にて変復調部１８の確達情報を確認することができる。
【００７６】
また本実施形態において、メールのＳｕｂｊｅｃｔに、「Ｃｏｎｔｒｏｌ  ｓｔａｔｅ  ａｃｑｕｉｓｉｔｉｏｎ」を記入し、本文に取得したい変復調部１８の制御状態の情報（項目）に対応するコマンドを記入したメールをＰＣ１０から操作制御部１６に送信すると、ＰＣ１０は、ＰＣ１０が取得しようとしている変復調部１８の情報を有する制御状態取得メールを操作制御部１６から受信する。これにより本実施形態は、変復調部１８の制御状態をＰＣ１０にて確認することができる。
【００７７】
また本実施形態において、メールのＳｕｂｊｅｃｔに、「Ｃｏｎｔｒｏｌ」を記入し、本文に変更したい変復調部１８の制御状態の情報（項目）に対応するコマンドを記入した制御メールをＰＣ１０から操作制御部１６に送信すると、操作制御部１６は、この制御メールを基に変復調部１８の制御状態を変更し、変更した後に応答メールを作成する。応答メールには、変復調部１８の状態がＰＣ１０によって指示された制御状態に変更された旨のメッセージが記載されている。そのためＰＣ１０は、操作制御部１６から応答メールを受信することで変復調部１８の制御状態を変更したことを確認できる。このように本実施形態は、ＰＣ１０にて変復調部１８の制御状態を変更でき、また変更した後に応答メールを受信することで変復調部１８の制御状態を変更できたことを確認することができる。
【図面の簡単な説明】
【００７８】
【図１】図１は、本実施形態における無線送信システムの概略図である。
【図２】図２は、操作制御部の概略構成図である。
【図３】図３は、ＰＣが送信結果メールを受信することにより取得できる確達情報の表示例を示す図である。
【図４】図４は、ＰＣが送信結果メールを受信する際の概略図である。
【図５】図５は、制御状態取得メールを受信することにより取得できる情報と情報に対応する入力コマンドの表示例を示す図である。
【図６】図６は、ＰＣが制御状態取得メールを受信することにより取得できる変復調部の制御状態の表示例を示す図である。
【図７】図７は、ＰＣが制御状態取得メールを受信する際の概略図である。
【図８】図８は、ＰＣが制御メールを送信する際の変復調部を制御状態の変更内容の表示例である。
【図９】図９は、ＰＣが制御メールを送信する際の概略図である。
【図１０】図１０は、本実施形態におけるＰＣが送信結果メールを受信する際のフローである。
【図１１】図１１は、本実施形態におけるＰＣが制御状態取得メールを受信する際のフローである。
【図１２】図１２は、本実施形態におけるＰＣが制御メールを送信し、応答メールを受信する際のフローである。
【図１３】図１３は、従来の無線送信システムの概略図である。
【符号の説明】
【００７９】
１…無線送信システム、１０…ＰＣ、１０ａ…表示部、１０ｂ…入力部、１２…ＬＡＮ、１４…サーバ、１６…操作制御部、１８…変復調部、２０…送受信部、３０…ドライバ部、３２…表示部、３４…入力部、３６…共有メモリ、４０…ＳＭＴＰメール送受信部、４２…メール解析部、４４…ＳＭＴＰメール作成部、４６…シリアルデータ作成部、４８…シリアルデータ送受信部。
【図１】
2008177854.tif 000003
【図２】
2008177854.tif 000004
【図３】
2008177854.tif 000005
【図４】
2008177854.tif 000006
【図５】
2008177854.tif 000007
【図６】
2008177854.tif 000008
【図７】
2008177854.tif 000009
【図８】
2008177854.tif 000010
【図９】
2008177854.tif 000011
【図１０】
2008177854.tif 000012
【図１１】
2008177854.tif 000013
【図１２】
2008177854.tif 000014
【図１３】
2008177854.tif 000015